(57)【要約】【課題】  ＲＦＩＤタグから送信された情報に依存する通信間隔をおいてＲＦＩＤタグから情報を受信する通信システム、情報受信装置及びＲＦＩＤタグを提供する。【解決手段】  電源が投入された場合及び所定の操作がされた場合にＲＦＩＤタグから情報を受信する動作を開始し（ステップＳ１１ａ）、その情報が受信された場合（ステップＳ１１ｄの「受信された」）、その情報の格納、その情報に基づく設定をし（ステップＳ１１ｆ）、更に、起床周期時間をその情報に依存して設定する（ステップＳ１１ｇ）。そして、設定された起床周期時間の間隔をおいて、ＲＦＩＤタグから情報を受信する動作を開始する（ステップＳ１１ａ）。【選択図】  図６
2007122385.tif 000002
【特許請求の範囲】
【請求項１】
情報受信装置とＲＦＩＤタグとが電磁波を介して通信する通信システムであって、
前記情報受信装置は、
情報送信要求を送信して、その送信された要求に応じて前記ＲＦＩＤタグから送信される
情報の種別を含む情報を受信するＲＦＩＤタグ通信手段と、
前記情報の種別と、その種別に対応する通信間隔とを記憶する通信間隔記憶手段と、
前記ＲＦＩＤタグ通信手段によって受信された情報の種別を検索キーに前記通信間隔記憶
手段に記憶された通信間隔を検索し、その検索された通信間隔をおいて、前記ＲＦＩＤタ
グ通信手段を実行させるＲＦＩＤ通信制御手段とを有し、
前記ＲＦＩＤタグは、
前記情報の種別を含む情報を記憶する情報記憶手段と、
前記情報送信要求に応じて前記情報記憶手段に記憶された情報を送信する情報送信手段と
を有する
ことを特徴とする通信システム。
【請求項２】
情報受信装置とＲＦＩＤタグとが電磁波を介して通信する通信システムであって、
前記情報受信装置は、
情報送信要求を送信して、その送信された要求に応じて前記ＲＦＩＤタグから送信される
通信間隔を含む情報を受信するＲＦＩＤタグ通信手段と、
前記ＲＦＩＤタグ通信手段によって受信された通信間隔をおいて、前記ＲＦＩＤタグ通信
手段を実行させるＲＦＩＤ通信制御手段とを有し、
前記ＲＦＩＤタグは、
前記通信間隔を含む、情報を記憶する情報記憶手段と、
前記情報送信要求に応じて前記情報記憶手段に記憶された情報を送信する情報送信手段と
を有する
ことを特徴とする通信システム。
【請求項３】
情報受信装置と、情報の種別を含む情報を記憶するＲＦＩＤタグとが電磁波を介して通
信する通信システムの情報受信装置であって、
情報送信要求を送信して、その送信された要求に応じて前記ＲＦＩＤタグから送信される
前記情報の種別を含む情報を受信するＲＦＩＤタグ通信手段と、
前記情報の種別と、その種別に対応する通信間隔とを記憶する通信間隔記憶手段と、
前記ＲＦＩＤタグ通信手段によって受信された情報の種別を検索キーに前記通信間隔記憶
手段に記憶された通信間隔を検索し、その検索された通信間隔をおいて、前記ＲＦＩＤタ
グ通信手段を実行させるＲＦＩＤ通信制御手段とを有する
ことを特徴とする情報受信装置。
【請求項４】
情報受信装置と、通信間隔を含む情報を記憶するＲＦＩＤタグが電磁波を介して通信す
る通信システムの情報受信装置であって、
情報送信要求を送信して、その送信された要求に応じて前記ＲＦＩＤタグから送信される
前記通信間隔を含む情報を受信するＲＦＩＤタグ通信手段と、
前記ＲＦＩＤタグ通信手段によって受信された通信間隔をおいて、前記ＲＦＩＤタグ通信
手段を実行させるＲＦＩＤ通信制御手段とを有する
ことを特徴とする情報受信装置。
【請求項５】
情報送信要求を送信して、その送信された要求に応じてＲＦＩＤタグから送信される通
信間隔を含む情報を受信して、その受信された通信間隔をおいて、前記要求を送信して前
記情報を受信する情報受信装置と、ＲＦＩＤタグとが電磁波を介して通信する通信システ
ムのＲＦＩＤタグであって、
前記通信間隔を含む情報を記憶する情報記憶手段と、
前記情報送信要求に応じて前記情報記憶手段に記憶された情報を送信する情報送信手段と
を有する
ことを特徴とするＲＦＩＤタグ。
【発明の詳細な説明】
【技術分野】
【０００１】
本発明は、通信システム、情報受信装置及びＲＦＩＤ（Radio Frequency Identificati
on）タグに係り、特に、ＲＦＩＤタグから送信された情報を受信する処理に関する。
【背景技術】
【０００２】
電源を有しない情報送信装置であるＲＦＩＤタグは、情報受信装置から送信された電磁
波によって電力を作成し、作成された電力によって、ＲＦＩＤタグに記憶された情報を送
信する。そのため、情報受信装置とＲＦＩＤタグとの距離を近くするだけで情報の通信が
可能となり、例えば、移動通信端末装置にコンテンツを送信するための情報送信装置とし
てＲＦＩＤタグが用いられる処理が知られている（例えば、特許文献１参照。）。また、
移動通信端末装置にモードの設定、例えば、マナーモードの設定をさせるための情報送信
装置としてＲＦＩＤタグが用いられる処理が知られている（例えば、特許文献２参照。）
。
【特許文献１】特開２０００−７６３９９号公報（第２−４頁、図１６）
【特許文献２】特開２００４−２２１８６０号公報（第２、６頁、図６）
【発明の開示】
【発明が解決しようとする課題】
【０００３】
しかしながら、上述した特許文献１に開示されている手法や特許文献２に開示されてい
る手法では、移動通信端末装置は、ＲＦＩＤタグに記憶された情報を受信するために電磁
波の送信を続けるので、移動通信端末装置の消費電力削減が考えられていない問題点があ
った。ここで、移動通信端末装置から送信された電磁波が充分な強度をもって到達する場
所にＲＦＩＤタグが存在しない場合、移動通信端末装置が電磁波を送信することは無用な
消費電力の増大になるからである。
【０００４】
なお、特許文献１に開示されている手法では、ＲＦＩＤタグ（特許文献１では、ＩＣモ
ジュールと称されている。）は、例えば、移動通信端末装置に担持される。また、特許文
献２に開示されている手法では、ＲＦＩＤタグ（特許文献２では、ＩＣタグと称されてい
る。）は、移動通信端末装置に装着されるパネルに保持される。
【０００５】
そのため、ＲＦＩＤタグが新たに担持されたこと、または、パネルが新たに装着された
ことを検出することによってＲＦＩＤタグが移動通信端末装置の近傍に存在することを検
出する機構を設け、その機構によってＲＦＩＤタグが近傍に存在することが検出された際
に、移動通信端末装置は電磁波を送信することも考えられる。しかし、ＲＦＩＤタグは、
上記のように移動通信端末と直接であるか間接であるかを問わず機械的な接触をするとは
限らない。そのため、上記問題点は解決されていない。
【０００６】
本発明は上記問題点を解決するためになされたもので、ＲＦＩＤタグから送信された情
報に依存する通信間隔をおいてＲＦＩＤタグから情報を受信する通信システム、情報受信
装置及びＲＦＩＤタグを提供することを目的とする。
【課題を解決するための手段】
【０００７】
上記目的を達成するために、本発明の通信システムは、情報受信装置とＲＦＩＤタグと
が電磁波を介して通信する通信システムであって、前記情報受信装置は、情報送信要求を
送信して、その送信された要求に応じて前記ＲＦＩＤタグから送信される情報の種別を含
む情報を受信するＲＦＩＤタグ通信手段と、前記情報の種別と、その種別に対応する通信
間隔とを記憶する通信間隔記憶手段と、前記ＲＦＩＤタグ通信手段によって受信された情
報の種別を検索キーに前記通信間隔記憶手段に記憶された通信間隔を検索し、その検索さ
れた通信間隔をおいて、前記ＲＦＩＤタグ通信手段を実行させるＲＦＩＤ通信制御手段と
を有し、前記ＲＦＩＤタグは、前記情報の種別を含む情報を記憶する情報記憶手段と、前
記情報送信要求に応じて前記情報記憶手段に記憶された情報を送信する情報送信手段とを
有することを特徴とする。
【０００８】
また、本発明の通信システムは、情報受信装置とＲＦＩＤタグとが電磁波を介して通信
する通信システムであって、前記情報受信装置は、情報送信要求を送信して、その送信さ
れた要求に応じて前記ＲＦＩＤタグから送信される通信間隔を含む情報を受信するＲＦＩ
Ｄタグ通信手段と、前記ＲＦＩＤタグ通信手段によって受信された通信間隔をおいて、前
記ＲＦＩＤタグ通信手段を実行させるＲＦＩＤ通信制御手段とを有し、前記ＲＦＩＤタグ
は、前記通信間隔を含む、情報を記憶する情報記憶手段と、前記情報送信要求に応じて前
記情報記憶手段に記憶された情報を送信する情報送信手段とを有することを特徴とする。
【発明の効果】
【０００９】
本発明によれば、ＲＦＩＤタグから送信された情報に依存する通信間隔をおいてＲＦＩ
Ｄタグから情報を受信する通信システム、情報受信装置及びＲＦＩＤタグを提供すること
ができる。また、本発明は、機構によってＲＦＩＤタグが近傍に存在することを検出する
ものではなく、機構の障害を考慮する必要がないため、ＲＦＩＤタグと情報受信装置とが
機械的な接触をしている場合にも有効である。
【発明を実施するための最良の形態】
【００１０】
以下に、本発明による通信システム、情報受信装置及びＲＦＩＤタグの実施の形態を、
図面を参照して説明する。
【００１１】
（第１の実施形態）
図１は、本発明の第１の実施形態に係る通信システムの構成を示すブロック図である。
この通信システムは、本発明の第１の実施形態に係る移動通信端末装置１と、ＲＦＩＤタ
グ２と、移動通信端末装置１とＲＦＩＤタグ２とを結合する電磁波による無線回線３とか
らなる。ここで、ＲＦＩＤタグ２は、１枚であっても良く、また、複数枚であっても良い
。
【００１２】
図２は、移動通信端末装置１の構成を示すブロック図である。この移動通信端末装置１
は、装置全体の制御を行う制御部１１と、基地局（図示せず）との間で電磁波の送受信を
行うアンテナ１２ａと、通信部１２ｂと、送受信部１３と、スピーカ１４ａと、マイクロ
フォン１４ｂと、通話部１４ｃと、表示部１５と、入力装置１６と、ＲＦＩＤタグ通信部
１７と、ＲＦＩＤタグ２との間で電磁波の送受信を行うアンテナ１７ａと、ＲＦＩＤタグ
通信間隔記憶部１８と、コンテンツ記憶部１９とからなる。
【００１３】
ＲＦＩＤタグ通信間隔記憶部１８には、ＲＦＩＤタグ通信間隔１８ａが記憶される。図
３は、ＲＦＩＤタグ通信間隔１８ａの一例を示す。このＲＦＩＤタグ通信間隔１８ａは、
ＲＦＩＤタグ情報種別１８ｂと、読み取り間隔１８ｃとの組からなる。そして、図３に示
すＲＦＩＤタグ通信間隔１８ａには、「通話可設定」なるＲＦＩＤタグ情報種別１８ｂと
、「５秒」なる読み取り間隔１８ｃとからなる組が含まれている。また、「通話不可設定
」なるＲＦＩＤタグ情報種別１８ｂと、「１分」なる読み取り間隔１８ｃとからなる組が
含まれている。更に、「壁紙コンテンツ」なるＲＦＩＤタグ情報種別１８ｂと、情報が含
まれていない読み取り間隔１８ｃとからなる組が含まれている。
【００１４】
コンテンツ記憶部１９には、コンテンツ１９ａが記憶される。ここで、コンテンツ１９
ａは、静止画像であっても良く、動画像であっても良く、音声情報であっても良い。また
、これらの複数を含む、例えば、映画情報であっても良い。更に、ゲームプログラムを含
む、プログラムであっても良い。
【００１５】
図４は、ＲＦＩＤタグ２の構成を示すブロック図である。このＲＦＩＤタグ２は、通信
処理部２１と、移動通信端末装置１との間で電磁波の送受信を行うアンテナ２１ａと、Ｒ
ＦＩＤタグ情報記憶部２２とからなる。ＲＦＩＤタグ情報記憶部２２には、ＲＦＩＤタグ
情報２２ａが記憶される。
【００１６】
図５は、ＲＦＩＤタグ情報２２ａの構成の例を示し、図５（ａ）は、ＲＦＩＤタグ情報
２２ａの構成の第１の例を示す。このＲＦＩＤタグ情報２２ａは、ＲＦＩＤタグ識別子２
２ｂと、ＲＦＩＤタグ情報種別２２ｃとの組からなる。ＲＦＩＤタグ識別子２２ｂは、Ｒ
ＦＩＤタグ２を識別する情報である。ＲＦＩＤタグ情報種別２２ｃは、「通話可設定」ま
たは「通話不可設定」なる情報である。
【００１７】
図５（ｂ）は、ＲＦＩＤタグ情報２２ａの構成の第２の例を示す。このＲＦＩＤタグ情
報２２ａは、ＲＦＩＤタグ識別子２２ｂと、ＲＦＩＤタグ情報種別２２ｃと、コンテンツ
識別子２２ｄと、一連番号２２ｅと、全枚数２２ｆと、コンテンツ２２ｇとの組からなる
。ＲＦＩＤタグ識別子２２ｂは、ＲＦＩＤタグ２を識別する情報である。ＲＦＩＤタグ情
報種別２２ｃは、「壁紙コンテンツ」なる情報である。
【００１８】
また、コンテンツ識別子２２ｄは、この壁紙コンテンツを識別する情報であり、「ＸＸ
Ｘ」なる情報である。全枚数２２ｆは、その壁紙コンテンツが何枚のＲＦＩＤタグ２に分
割されて記憶されているかを示す自然数である。また、一連番号２２ｅは、そのＲＦＩＤ
タグ２が全枚数２２ｆに分割された中の何枚目であるかを示す自然数である。更に、コン
テンツ２２ｇは、壁紙コンテンツが全枚数２２ｆに分割された中の一連番号２２ｅ番目の
部分コンテンツである。
【００１９】
上記のように構成された、本発明の第１の実施形態に係る移動通信端末装置１の各部の
動作を、図面を参照して説明する。まず、制御部１１は、通話が可か不可かの設定を行う
。また、コンテンツ記憶部１９に記憶されたコンテンツ１９ａの１つに対して壁紙コンテ
ンツであるとの設定を行う。ここで、壁紙とは、待ち受け時に表示部１５に表示される画
像である。
【００２０】
通信部１２ｂは、アンテナ１２ａが受信した高周波信号を送受信部１３へ出力し、また
、送受信部１３から出力される高周波信号をアンテナ１２ａより送信する。送受信部１３
は、通信部１２ｂからの高周波信号を増幅、周波数変換及び復調し、それによって得られ
たディジタル音声信号を通話部１４ｃへ、また、制御信号を制御部１１に送る。更には、
通話部１４ｃから出力されるディジタル音声信号、及び制御部１１から出力される制御信
号を変調、周波数変換及び増幅し、高周波信号を得て、それを通信部１２ｂに送る。
【００２１】
次に、通話部１４ｃは、送受信部１３から出力されるディジタル音声信号をアナログ音
声信号に変換し、それを増幅してスピーカ１４ａに送る。また、マイクロフォン１４ｂか
ら出力されるアナログ音声信号を増幅し、それをディジタル音声信号に変換して送受信部
１３に送信する。
【００２２】
次に、表示部１５の動作を説明する。表示部１５は、制御部１１に制御されることで、
カーソルを含む文字・数字や画像データの表示動作を行い、表示されているデータは、入
力装置１６からの入力操作や着信信号に応答して制御部１１からの指示を受けることで切
換わる。
【００２３】
入力装置１６は、通話相手の電話番号などを指定し、また、トグル式の入力方式によっ
て文字を入力するための数字キーと、カーソル移動キーを含む複数の機能キーとを含むキ
ーからなる。そして、入力装置１６のキーが操作されると、そのキーの識別子が制御部１
１に通知され、制御部１１によって、表示部１５に文字として表示され、または、制御が
行われる。
【００２４】
次に、ＲＦＩＤタグ通信部１７の動作を説明する。ＲＦＩＤタグ通信部１７は、制御部
１１に起動されて動作を開始し、情報送信要求によって変調された電磁波をアンテナ１７
ａから送信する。そして、送信された電磁波に対応してＲＦＩＤタグ２から送信された、
情報によって変調された電磁波をアンテナ１７ａから受信することによって、ＲＦＩＤタ
グ２から送信された情報を得て、得た情報を制御部１１に送信して、動作を終了する。
【００２５】
次に、制御部１１のＲＦＩＤタグ２に記憶された情報に関する制御動作を説明する。図
６は、制御部１１のＲＦＩＤタグ２に記憶された情報に関する制御動作のフローチャート
を示す。この制御動作は、移動通信端末装置１の電源が投入された場合、入力装置１６の
所定のキーが操作された場合、及び、一旦その制御動作を終了して所定の起床周期時間が
経過する度に動作を開始する（ステップＳ１１ａ）。ここで、起床周期時間の暗黙値は、
例えば、１分とする。
【００２６】
次に、制御部１１は、ＲＦＩＤタグ通信部１７を制御して、ＲＦＩＤタグ２に記憶され
た情報を受信する（ステップＳ１１ｂ）。そして、その情報が受信されたか否かを調べる
（ステップＳ１１ｃ）。その情報が受信された場合、制御部１１は、全枚数２２ｆのＲＦ
ＩＤタグ２に記憶された情報が受信されたか否かを調べる（ステップＳ１１ｄ）。即ち、
受信されたＲＦＩＤタグ情報２２ａのＲＦＩＤタグ情報種別２２ｃが「通話可設定」また
は「通話不可設定」であれば、１枚のＲＦＩＤタグ２のＲＦＩＤタグ情報２２ａが受信さ
れれば必要な情報が得られるので、全枚数２２ｆのＲＦＩＤタグ２に記憶された情報が受
信されたと判断する。
【００２７】
また、受信されたＲＦＩＤタグ情報２２ａのＲＦＩＤタグ情報種別２２ｃが「壁紙コン
テンツ」であれば、制御部１１は、同一のコンテンツ識別子２２ｄを含み、一連番号２２
ｅが１から全枚数２２ｆまでのＲＦＩＤタグ情報２２ａが受信された場合、全枚数２２ｆ
のＲＦＩＤタグ２に記憶された情報が受信されたと判断する。一方、一連番号２２ｅが１
から全枚数２２ｆまでのＲＦＩＤタグ情報２２ａが受信されなかった場合、全枚数２２ｆ
のＲＦＩＤタグ２に記憶された情報が受信されなかったと判断する。
【００２８】
ステップＳ１１ｄで全枚数２２ｆのＲＦＩＤタグ２に記憶された情報が受信された場合
、制御部１１は、受信完了の表示を表示部１５に行う（ステップＳ１１ｅ）。なお、この
表示は、所定の時間の経過を待って、制御部１１の表示制御動作によって、消去される。
【００２９】
続いて、制御部１１は、受信されたＲＦＩＤタグ２のＲＦＩＤタグ情報種別２２ｃに応
じた情報の格納及び移動通信端末装置１の設定を行う。即ち、そのＲＦＩＤタグ情報種別
２２ｃが「通話可設定」である場合、移動通信端末装置１の設定を通話が可能なモードに
設定を更新する。また、上記ＲＦＩＤタグ情報種別２２ｃが「通話不可設定」である場合
、移動通信端末装置１の設定を通話が不可能なモードに設定を更新する。これらの更新の
際、制御部１１は、更新前の設定を制御部１１内に記憶する。
【００３０】
また、上記ＲＦＩＤタグ情報種別２２ｃが「壁紙コンテンツ」である場合、ＲＦＩＤタ
グ情報２２ａのコンテンツ２２ｇを一連番号２２ｅ順に連結して作成したコンテンツ１９
ａをコンテンツ記憶部１９に格納する。更に、そのコンテンツ１９ａに対して壁紙である
との設定の更新を行う（ステップＳ１１ｆ）。
【００３１】
続いて、制御部１１は、受信されたＲＦＩＤタグ情報２２ａのＲＦＩＤタグ情報種別２
２ｃとＲＦＩＤタグ情報種別１８ｂとが等しい組をＲＦＩＤタグ通信間隔１８ａから検索
する。そして、検索された組の読み取り間隔１８ｃを起床周期時間に更新設定して（ステ
ップＳ１１ｇ）、制御動作を終了する（ステップＳ１１ｈ）。これらの更新設定の際、制
御部１１は、更新設定前の起床周期時間を制御部１１内に記憶する。ここで、ＲＦＩＤタ
グ情報種別２２ｃが「壁紙コンテンツ」である場合、上記検索された読み取り間隔１８ｃ
には情報が含まれていないので、制御部１１は、起床周期時間の値を更新しない。
【００３２】
ステップＳ１１ｄで、全枚数２２ｆのＲＦＩＤタグ２に記憶された情報が受信されなか
った場合、制御部１１は、後述する様に、所定受信回数に渡ってＲＦＩＤタグ通信部１７
を制御して、ＲＦＩＤタグ２に記憶された情報を受信するが、既に、その所定受信回数を
超過しているか否かを調べる（ステップＳ１１ｉ）。その所定受信回数を超過していない
場合、制御部１１は、受信状況の表示を表示部１５に行う（ステップＳ１１ｊ）。なお、
この表示は、所定の時間の経過を待って、制御部１１の表示制御動作によって、消去され
る。
【００３３】
続いて、制御部１１は、ＲＦＩＤタグ通信部１７を制御して、ＲＦＩＤタグ２に記憶さ
れた情報を受信し（ステップＳ１１ｋ）、ステップＳ１１ｃの情報が受信されたか否かを
調べる動作に戻る。
【００３４】
一方、ステップＳ１１ｉで、上記所定受信回数を超過した場合、制御部１１は、受信終
了の表示を表示部１５に行って（ステップＳ１１ｍ）、制御動作を終了する（ステップＳ
１１ｈ）。なお、この表示は、所定の時間の経過を待って、制御部１１の表示制御動作に
よって、消去される。
【００３５】
ステップＳ１１ｃで、ＲＦＩＤタグ通信部１７の仕様を超える枚数のＲＦＩＤタグ２か
らの情報がＲＦＩＤタグ通信部１７に受信されることによって、情報の受信がされなかっ
た場合（ステップＳ１１ｃの「ＲＦＩＤタグ数過多」）、制御部１１は、仕様を超える枚
数のＲＦＩＤタグ２からの情報が受信されている旨の表示を表示部１５に行って（ステッ
プＳ１１ｎ）、ＲＦＩＤタグ通信部１７を制御して、ＲＦＩＤタグ２に記憶された情報を
受信し（ステップＳ１１ｋ）、ステップＳ１１ｃの情報が受信されたか否かを調べる動作
に戻る。なお、この表示は、所定の時間の経過を待って、制御部１１の表示制御動作によ
って、消去される。
【００３６】
ステップＳ１１ｃで、情報が受信されなかった場合、制御部１１は、ステップＳ１１ｆ
〜Ｓ１１ｇでＲＦＩＤタグ２に記憶された情報に従って移動通信端末装置１の設定が更新
されていた場合、情報が受信されなかった旨と、その設定が復旧された旨とを表示部１５
に表示し（ステップＳ１１ｏ）、ＲＦＩＤタグ２に記憶された情報に従って更新されてい
た移動通信端末装置１の設定を復旧して（ステップＳ１１ｐ）、制御動作を終了する（ス
テップＳ１１ｑ）。なお、ステップＳ１１ｃの情報が受信されなかったとの判断は、所定
の回数ステップＳ１１ｋのＲＦＩＤタグ２から情報を読み込み動作を繰り返した後に行わ
れても良い。
【００３７】
ここで、ステップＳ１１ｏで行われる表示は、上記の場合に限らず、制御部１１のＲＦ
ＩＤタグ２に記憶された情報に関する制御動作が入力装置１６の所定のキーが操作される
ことによって起動された場合、表示されるとしても良い。なお、この表示は、所定の時間
の経過を待って、制御部１１の表示制御動作によって、消去される。
【００３８】
なお、ステップＳ１１ｐで設定を復旧することには、起床周期時間を暗黙値に復旧する
ことも含まれる。また、ステップＳ１１ｆ〜Ｓ１１ｇでＲＦＩＤタグ２に記憶された情報
に従って移動通信端末装置１の設定が更新されていた場合であって、その設定が「壁紙コ
ンテンツ」の設定である場合、制御部１１は、ステップＳ１１ｏの情報が受信されなかっ
た旨などの表示と、ステップＳ１１ｐの移動通信端末装置１の設定を復旧の動作を行わな
い。
【００３９】
上記設定の復旧を行わないことは、ＲＦＩＤタグ通信間隔１８ａのＲＦＩＤタグ情報種
別１８ｂが「壁紙コンテンツ」である組の読み取り間隔１８ｃに値が記憶されていないこ
とにより判断されるが、これに限るものではない。ＲＦＩＤタグ通信間隔１８ａに復旧を
行うか否かの情報が別に記憶されるとしても良い。
【００４０】
次に、ＲＦＩＤタグ２の各部の動作を説明する。通信処理部２１は、アンテナ２１ａに
よって受信された電磁波から電力を作成し、その電力を用いてＲＦＩＤタグ情報記憶部２
２に記憶されたＲＦＩＤタグ情報２２ａによって変調された電磁波をアンテナ２１ａから
送信する。
【００４１】
ここで、制御部１１のＲＦＩＤタグ２に記憶された情報に関する制御動作中に表示部１
５に行われる表示を参照して、その制御動作の一例を説明する。図７は、ＲＦＩＤタグ情
報種別２２ｃが「通話可設定」であるＲＦＩＤタグ情報２２ａを受信した場合、ステップ
Ｓ１１ｅで行われる表示の一例を示す。即ち、表示部１５の上部のピクト欄１５ａに、受
信された電磁波の強度を示すアンテナ形状と０〜３本の縦線とからなるピクト（図示せず
）と、充電池（図示せず）に蓄えられた電力の多寡を示す電池形状からなるピクト（図示
せず）とが制御部１１によって常に表示されている。
【００４２】
制御部１１のＲＦＩＤタグ２に記憶された情報に関する制御動作によって表示が制御さ
れる下部の処理部表示欄１５ｂの上部の処理表示欄１５ｃには、「通話を可能にするＲＦ
ＩＤタグを読み込みました。通話が可能です。このＲＦＩＤタグが離れると、通話ができ
なくなります。」なる文字が表示されている。この文字によって、移動通信端末装置１は
ＲＦＩＤタグ２から情報を受信したことによって通話が可能な設定になったこと、更には
、ＲＦＩＤタグ２から情報が受信できなくなると、その設定が復旧されることにより、通
話が不可能になることが示されている。
【００４３】
処理部表示欄１５ｂの最下部の機能表示欄１５ｄには、「確認」なる指示が表示されて
いる。この「確認」なる指示に対応する入力装置１６の機能キーが操作されることにより
、この処理部表示欄１５ｂに表示された内容が消去されるとしても良い。また、その機能
キーが操作されるまで、この処理部表示欄１５ｂに表示された内容が消去されないとして
も良い（図６のフローチャートには図示せず）。
【００４４】
なお、ＲＦＩＤタグ情報種別２２ｃが「壁紙コンテンツ」であるＲＦＩＤタグ情報２２
ａを受信した場合、機能表示欄１５ｄに「中止」なる指示が表示されるとしても良い。そ
して、この「中止」なる指示に対応する入力装置１６の機能キーが操作されることにより
、この処理部表示欄１５ｂに表示された内容が消去され、かつ、受信されたＲＦＩＤタグ
情報２２ａのコンテンツ２２ｇによるコンテンツ１９ａを壁紙に設定する動作は行われな
いとしても良い（図６のフローチャートには図示せず）。なぜなら、壁紙コンテンツは、
もっぱら使用者の好みに依存するものであり、移動通信端末装置１の動作に影響がないか
らである。
【００４５】
上記機能表示欄１５ｄに「中止」なる指示が表示されることは、ＲＦＩＤタグ通信間隔
１８ａのＲＦＩＤタグ情報種別１８ｂが「壁紙コンテンツ」である組の読み取り間隔１８
ｃに値が記憶されていないことにより判断されるが、これに限るものではない。ＲＦＩＤ
タグ通信間隔１８ａに復旧を行うか否かの情報が別に記憶されるとしても良い。
【００４６】
図８は、ＲＦＩＤタグ情報種別２２ｃが「壁紙コンテンツ」であるＲＦＩＤタグ情報２
２ａを受信し、全枚数２２ｆのＲＴＩＤタグ２が受信されず、所定の受信回数を超えてい
ない場合、ステップＳ１１ｊで行われる表示の一例を示す。即ち、処理表示欄１５ｃには
、「壁紙ＸＸＸのＲＦＩＤタグを読み込みました。この壁紙は１０枚のＲＦＩＤタグに分
かれています。１枚目を読み込みました。その他のＲＦＩＤタグを近づけて下さい。」な
る文字が表示されている。
【００４７】
この文字によって、コンテンツ識別子２２ｄが「ＸＸＸ」であるＲＦＩＤタグ情報２２
ａを読み込んだものの、そのＲＦＩＤタグ情報２２ａの全枚数２２ｆは「１０」であり、
１０枚の内、一連番号２２ｅが「１」であるＲＦＩＤタグ情報２２ａのみを読み込んだこ
とを示す。そして、更に、一連番号２２ｅが「１」以外であるＲＦＩＤタグ情報２２ａが
記憶されたＲＦＩＤタグ２と移動通信端末装置１との距離を近くすることを促す内容が表
示されている。
【００４８】
機能表示欄１５ｄには、「確認」及び「終了」なる指示が表示されている。この「確認
」なる指示に対応する入力装置１６の機能キーが操作されることにより、この処理部表示
欄１５ｂに表示された内容が消去されるとしても良い（図６のフローチャートには図示せ
ず）。また、この「終了」なる指示に対応する入力装置１６の機能キーが操作されること
により、この処理部表示欄１５ｂに表示された内容が消去され、かつ、制御部１１は、Ｒ
ＦＩＤタグ２に記憶された情報に関する制御動作を終了するとしても良い（図６のフロー
チャートには図示せず）。
【００４９】
図９は、ＲＦＩＤタグ情報種別２２ｃが「壁紙コンテンツ」であるＲＦＩＤタグ情報２
２ａを受信し、全枚数２２ｆのＲＦＩＤタグ２が受信されず、所定の受信回数を超えた場
合、ステップＳ１１ｍで行われる表示の一例を示す。即ち、処理表示欄１５ｃには、「壁
紙ＸＸＸのＲＦＩＤタグを読み込みました。この壁紙は１０枚のＲＦＩＤタグに分かれて
います。１枚目を読み込みました。その他のＲＦＩＤタグが読めないので、処理を終了し
ます。」なる文字が表示されている。
【００５０】
この文字によって、コンテンツ識別子２２ｄが「ＸＸＸ」であるＲＦＩＤタグ情報２２
ａを読み込んだものの、そのＲＦＩＤタグ情報２２ａの全枚数２２ｆは「１０」であり、
１０枚の内、一連番号２２ｅが「１」であるＲＦＩＤタグ情報２２ａのみを読み込んだこ
とを示す。そして、ＲＦＩＤタグ２のＲＦＩＤタグ情報２２ａの読み込み動作を終了する
ことを報知する内容が表示されている。
【００５１】
機能表示欄１５ｄには、「確認」及び「再読」なる指示が表示されている。この「確認
」なる指示に対応する入力装置１６の機能キーが操作されることにより、この処理部表示
欄１５ｂに表示された内容が消去されるとしても良い（図６のフローチャートには図示せ
ず）。
【００５２】
また、この「再読」なる指示に対応する入力装置１６の機能キーが操作されることによ
り、この処理部表示欄１５ｂに表示された内容が消去され、制御部１１は、ステップＳ１
１ｉの動作で説明した所定受信回数を増加し、ステップＳ１１ｋの動作に移り、ＲＦＩＤ
タグ２に記憶された情報に関する制御動作を続けるとしても良い（図６のフローチャート
には図示せず）。
【００５３】
図１０は、ＲＦＩＤタグ通信部１７が同時にＲＦＩＤタグ情報２２ａを読み込める仕様
を越える枚数のＲＦＩＤタグ２からＲＦＩＤタグ情報２２ａが送信された場合、ステップ
Ｓ１１ｎで行われる表示の一例を示す。即ち、処理表示欄１５ｃには、「ＲＦＩＤタグを
読み込みましたが、枚数が多すぎます。枚数をＹ枚以下にして下さい。」なる文字が表示
されている。
【００５４】
この文字によって、ＲＦＩＤタグ通信部１７が同時にＲＦＩＤタグ情報２２ａを読み込
める仕様を越える枚数のＲＦＩＤタグ２が移動通信端末装置１から近い距離に位置してい
る結果、それらのＲＦＩＤタグ２に記憶された情報を読み込むことができないことを報知
する内容が表示されている。また、近い距離に位置しているＲＦＩＤタグ２の中で、Ｙ枚
を越えるＲＦＩＤタグ２との距離を遠くすることを促す内容が表示されている。ここで、
「Ｙ枚」は、ＲＦＩＤタグ通信部１７が同時にＲＦＩＤタグ情報２２ａを読み込める最大
の枚数である。
【００５５】
機能表示欄１５ｄには、「確認」及び「終了」なる指示が表示されている。この「確認
」なる指示に対応する入力装置１６の機能キーが操作されることにより、この処理部表示
欄１５ｂに表示された内容が消去されるとしても良い（図６のフローチャートには図示せ
ず）。また、この「終了」なる指示に対応する入力装置１６の機能キーが操作されること
により、この処理部表示欄１５ｂに表示された内容が消去され、かつ、制御部１１は、制
御部１１は、ＲＦＩＤタグ２に記憶された情報に関する制御動作を終了するとしても良い
（図６のフローチャートには図示せず）。
【００５６】
図１１は、ＲＦＩＤタグ情報種別２２ｃが「通話可設定」であるＲＦＩＤタグ情報２２
ａを受信して、ステップＳ１１ｆ〜Ｓ１１ｇでＲＦＩＤタグ２に記憶された情報に従って
移動通信端末装置１の設定が更新された後、新たに制御部１１のＲＦＩＤタグ２に記憶さ
れた情報に関する制御動作が起動され、ＲＦＩＤタグ２に記憶された情報が受信されなか
った場合、ステップＳ１１ｏで行われる表示の一例を示す。即ち、処理表示欄１５ｃには
、「通話を可能にするＲＦＩＤタグが読めなくなりました。通話を不可能な設定にします
。通話中の場合、その通話は中止されます。」なる文字が表示されている。
【００５７】
この文字によって、ＲＦＩＤタグ情報種別２２ｃが「通話可設定」であるＲＦＩＤタグ
２と移動通信端末装置１との距離が遠くなったため、そのＲＦＩＤタグ２に記憶された情
報を読み込むことができず、通話が不可能な設定に復旧すること、更に、通話中であれば
、その通話が中断されることを報知する内容が表示されている。
【００５８】
機能表示欄１５ｄには、「確認」及び「再読」なる指示が表示されている。この「確認
」なる指示に対応する入力装置１６の機能キーが操作されることにより、この処理部表示
欄１５ｂに表示された内容が消去されるとしても良い（図６のフローチャートには図示せ
ず）。
【００５９】
また、この「再読」なる指示に対応する入力装置１６の機能キーが操作されることによ
り、この処理部表示欄１５ｂに表示された内容が消去され、制御部１１は、ステップＳ１
１ｋの動作に移り、ＲＦＩＤタグ２に記憶された情報に関する制御動作を続けることによ
り、一時的にＲＦＩＤタグ２に記憶された情報を読み込めなかった場合、直ちに通話が不
可能な設定に復旧することを避ける、また、通話中であれば、その通話が中断されること
を避けるとしても良い（図６のフローチャートには図示せず）。
【００６０】
以上の説明で、ＲＦＩＤタグ通信間隔記憶部１８に記憶された読み取り間隔１８ｃは、
ＲＦＩＤタグ情報種別１８ｂによって大きく変化するとした。即ち、ＲＦＩＤタグ情報種
別１８ｂが「通話可設定」に対しては読み取り間隔１８ｃは「５秒」であり、ＲＦＩＤタ
グ情報種別１８ｂが「通話不可設定」に対しては読み取り間隔１８ｃは「１分」であり、
更に、ＲＦＩＤタグ情報種別１８ｂが「壁紙コンテンツ」に対しては読み取り間隔１８ｃ
には情報が含まれないとした。
【００６１】
この読み取り間隔１８ｃがＲＦＩＤタグ情報種別１８ｂによって大きく変化することに
よって、以下に説明する効果が得られる。即ち、ＲＦＩＤタグ情報種別２２ｃが「通話可
設定」である情報を受信することに意味があるのは、移動通信端末装置１の設定が通話不
可であり、例えば、ＲＦＩＤタグ２が貸与され、そのＲＦＩＤタグ２が移動通信端末装置
１を持つ手に併せて持たれた場合、また、そのＲＦＩＤタグ２がシールに保持され、その
シールが移動通信端末装置１の所定の位置に貼付された場合にのみ、通話が可能である場
合である。更に、ＲＦＩＤタグ２が所定の部屋の壁に貼付されており、そのＲＦＩＤタグ
２の近傍のみで移動通信端末装置１を用いた通話が可能な場合である。
【００６２】
更には、ＲＦＩＤタグ２は、指輪に貼付され、または、腕時計に貼付され、移動通信端
末装置１の使用者がその装置を置き忘れた際に、他人によってその装置が使われることを
防止する場合である。
【００６３】
これらの場合、移動通信端末装置１とＲＦＩＤタグ２との間の距離が遠くなっているに
も係らず通話が可能であることは許されないので、移動通信端末装置１は、短い読み取り
間隔１８ｃでＲＦＩＤタグ２に記憶された情報を読み込む必要がある。また、この場合、
制御部１１のＲＦＩＤタグ２に記憶された情報に関する制御動作は、入力装置１６の所定
のキーが操作された場合にのみ開始され、移動通信端末装置１の電源が投入された場合に
は開始されず、そして、起床周期時間の暗黙値は無限大としても良い。これによって、大
きな消費電力の削減が得られる。
【００６４】
ＲＦＩＤタグ情報種別２２ｃが「通話可設定」である場合に限らず、ＲＦＩＤタグ２か
ら送信された情報を受信している場合に限って移動通信端末装置１の所定の動作が許され
る場合、上記の説明の通り、読み取り間隔１８ｃが短いことが適切である。
【００６５】
この場合に該当する他の例として、ＲＦＩＤタグ情報種別２２ｃが「アドレス帳」であ
って、ＲＦＩＤタグ情報２２ａにはアドレス帳が含まれる場合がある。また、ＲＦＩＤタ
グ情報種別２２ｃが「メールアドレス」、「ＵＲＬ（Uniform Resource Locator）」また
は「パスワード」であって、ＲＦＩＤタグ情報２２ａには、それぞれ、機密を維持する必
要があるメールアドレス、ＵＲＬまたはパスワードが含まれる場合がある。
【００６６】
また、ＲＦＩＤタグ情報種別２２ｃが「通話不可設定」である情報を受信することに意
味があるのは、移動通信端末装置１の設定が通話可であり、例えば、劇場内などの通話が
好ましくない場所の壁や椅子等にＲＦＩＤタグ２が貼付されている場合である。
【００６７】
この場合、一旦移動通信端末装置１がＲＦＩＤタグ２に記憶された情報を読み込んで、
通話が不可能な設定にすれば、たとえ、移動通信端末装置１が劇場の外に移動され、ＲＦ
ＩＤタグ２との間の距離が遠くなり、その間の通信が行われなくなったことの検出に長時
間を要したとしても、好ましくない場所での通話を避けることができる。そのため、移動
通信端末装置１は、長い読み取り間隔１８ｃでＲＦＩＤタグ２に記憶された情報を読み込
むことに支障はなく、大きな消費電力の削減が得られる。
【００６８】
ただし、この場合、移動通信端末装置１は、例えば、劇場内に移動された場合、所定の
時間内に通話が不可能な設定を行う必要があるので、制御部１１のＲＦＩＤタグ２に記憶
された情報に関する制御動作は、所定の起床周期時間で開始されることが必須である。ま
た、電源が切断中に劇場内に移動され、劇場内で電源が投入された場合、所定の時間内に
通話が不可能な設定を行う必要があるので、制御部１１のＲＦＩＤタグ２に記憶された情
報に関する制御動作は、移動通信端末装置１の電源が投入された場合、動作を開始するこ
とが望ましい。
【００６９】
ここで、ＲＦＩＤタグ通信間隔記憶部１８に、ＲＦＩＤタグ情報種別１８ｂが「通話不
可設定」と組をなして記憶された読み取り間隔１８ｃは「１分」であるとし、また、起床
周期時間の暗黙値は１分であるとした。この１分という値は、例えば、劇場の玄関からホ
ールまで、使用者が歩行に要する時間によって決定された値であって、通話が不可能であ
る設定に更新するまでに許される時間である。
【００７０】
また、ＲＦＩＤタグ情報種別２２ｃが「通話不可設定」である場合に限らず、ＲＦＩＤ
タグ２から送信された情報を受信している場合に限って、移動通信端末装置１の所定の動
作が許されない場合、上記の説明の通り、読み取り間隔１８ｃは比較的長いことが適切で
ある。そして、制御部１１のＲＦＩＤタグ２に記憶された情報に関する制御動作は、所定
の起床周期時間で開始されることが必須であり、更に、移動通信端末装置１の電源が投入
された場合、動作を開始することが望ましい。この場合に該当する他の例として、劇場内
などにおけるマナーモード設定の場合がある。また、航空機内などにおける電源切断の設
定の場合がある。
【００７１】
一方、ＲＦＩＤタグ情報種別２２ｃが「壁紙コンテンツ」である情報を受信することに
意味があるのは、移動通信端末装置１の動作の設定には無関係に、使用者の好みに従って
、壁紙の設定更新が行われる場合である。そのため、制御部１１のＲＦＩＤタグ２に記憶
された情報に関する制御動作は、入力装置１６の所定のキーが操作された場合にのみ開始
されれば良い。これによって、大きな消費電力の削減が得られる。更に、ＲＦＩＤタグ２
に記憶された情報の受信がされ、壁紙の設定更新が行われた後で、その情報の受信がされ
ない場合、設定の復旧は不要である。そして、起床周期時間はたとえ無限大であっても良
いので、更新しない。
【００７２】
なお、壁紙の設定更新が、移動通信端末装置１の電源切断と共に暗黙値に復旧される場
合、ＲＦＩＤタグ２はシール状に加工され、移動通信端末装置１に貼付されるとする。そ
して、制御部１１のＲＦＩＤタグ２に記憶された情報に関する制御動作は、移動通信端末
装置１の電源が投入された場合に開始されるとする。それによって、常に使用者の好みの
壁紙の設定が行われる。
【００７３】
この場合に該当する他の例として、まず、壁紙以外のコンテンツがある。例えば、アイ
コンコンテンツである場合がある。また、ＲＦＩＤタグ２に移動通信端末装置１の新しい
機能のプログラムが記憶されており、その機能のプログラムを移動通信端末装置１に追加
する場合がある。更に、ＲＦＩＤタグ情報種別２２ｃが「メールアドレス」または「ＵＲ
Ｌ」であって、ＲＦＩＤタグ情報２２ａには、それぞれ、機密を維持する必要がないメー
ルアドレスまたはＵＲＬが含まれる場合がある。
【００７４】
上記説明した様に、読み取り間隔１８ｃに、ＲＦＩＤタグ情報種別１８ｂに依存して適
切な値が記憶されることにより、大きな消費電力の削減が得られる。また、読み取り間隔
１８ｃのみならず、如何なる場合に制御部１１のＲＦＩＤタグ２に記憶された情報に関す
る制御動作が開始されるかと、起床周期時間の暗黙値を制御することによって、大きな消
費電力の削減が得られる。
【００７５】
（第２の実施形態）
第２の実施形態が第１の実施形態と異なる点は、ＲＦＩＤタグ２のＲＦＩＤタグ情報記
憶部２２に記憶されるＲＦＩＤタグ情報２２ａと、移動通信端末装置１の制御部１１のＲ
ＦＩＤタグ２に記憶された情報に関する制御動作の図６に示したフローチャートのステッ
プＳ１１ｇの動作にある。そこで、ＲＦＩＤタグ情報２２ａと、制御部１１のステップＳ
１１ｇの動作との第２の実施形態を説明する。なお、第１の実施形態と同じ部分について
は、同じ符号を付してその説明を省略する。
【００７６】
図１２は、第２の実施形態に係るＲＦＩＤタグ情報２２ａの構成の例を示し、図１２（
ａ）は、ＲＦＩＤタグ情報２２ａの構成の第１の例を示す。このＲＦＩＤタグ情報２２ａ
は、ＲＦＩＤタグ識別子２２ｂと、ＲＦＩＤタグ情報種別２２ｃと、読み取り間隔２２ｈ
との組からなる。そして、ＲＦＩＤタグ情報種別２２ｃが「通話可設定」である組の読み
取り間隔２２ｈには「５秒」なる情報が、また、ＲＦＩＤタグ情報種別２２ｃが「通話不
可設定」である組の読み取り間隔２２ｈには「１分」なる情報が含まれている。
【００７７】
図５（ｂ）は、ＲＦＩＤタグ情報２２ａの構成の第２の例を示す。このＲＦＩＤタグ情
報２２ａは、ＲＦＩＤタグ識別子２２ｂと、ＲＦＩＤタグ情報種別２２ｃと、コンテンツ
識別子２２ｄと、一連番号２２ｅと、全枚数２２ｆと、コンテンツ２２ｇと、読み取り間
隔２２ｈとの組からなる。そして、ＲＦＩＤタグ情報種別２２ｃが「壁紙コンテンツ」で
あり、コンテンツ識別子２２ｄが「ＸＸＸ」である組の読み取り間隔２２ｈには情報が含
まれていない。
【００７８】
次に、第２の実施形態に係る移動通信端末装置１の制御部１１のＲＦＩＤタグ２に記憶
された情報に関する制御動作を説明する。図６に示したフローチャートの中のステップＳ
１１ｇで、制御部１１は、受信されたＲＦＩＤタグ情報２２ａの読み取り間隔２２ｈを起
床周期時間に設定する。この動作で、制御部１１は、ＲＦＩＤタグ通信間隔１８ａを検索
することはない。そのため、第２の実施形態に係る移動通信端末装置１は、ＲＦＩＤタグ
通信間隔記憶部１８を有しない構成としても良い。
【００７９】
この第２の実施形態によれば、第１の実施形態に比較して、ＲＦＩＤタグ２のＲＦＩＤ
タグ情報２２ａは読み取り間隔２２ｈだけ大きくなるものの、ＲＦＩＤタグ２のＲＦＩＤ
タグ情報種別２２ｃ毎に起床周期時間を適切に変更することができ、大きな消費電力の削
減が得られる。
【００８０】
（その他の実施形態）
以上の各実施形態では、ＲＦＩＤタグ２の形状は、例えば、シールに保持され、シール
が、例えば、移動通信端末装置１に貼付されるとしたが、これに限るものではない。プラ
スチック板に埋め込まれた、例えば、ＩＣカードと呼ばれる形状であっても良い。また、
ポスターなどの紙に埋め込まれた形状でも良い。
【００８１】
また、以上の各実施形態では、移動通信端末装置１とＲＦＩＤタグ２との間の認証手続
きは行われないとしたが、これに限るものではない。あるＲＦＩＤタグ２に記憶された情
報は、特定の移動通信端末装置１によってのみ、読み込みが可能であるとしても良い。
【００８２】
また、以上の各実施形態では、本発明を移動通信端末装置１に適用した形態を例にとっ
て説明したが、本発明は、ＲＦＩＤタグ２から送信された情報を受信するあらゆる装置に
適用することが当然に可能である。そして、その装置が携帯型の装置であって、電池に蓄
えられた電力によって駆動される場合、例えば、携帯型パソコンや、ＰＤＡ（Personal D
igital Assistant）である場合、効果が顕著である。本発明は以上の構成に限定されるも
のではなく、種々の変形が可能である。
【図面の簡単な説明】
【００８３】
【図１】本発明の実施形態に係る通信システムの構成を示すブロック図。
【図２】本発明の実施形態に係る移動通信端末装置の構成を示すブロック図。
【図３】本発明の実施形態に係るＲＦＩＤタグ通信間隔の一例を示す図。
【図４】本発明の実施形態に係るＲＦＩＤタグの構成を示すブロック図。
【図５】本発明の第１の実施形態に係るＲＦＩＤタグ情報の構成の一例を示す図。
【図６】本発明の実施形態に係る制御部のＲＦＩＤに記憶された情報を読み取る制御動作のフローチャート。
【図７】本発明の実施形態に係る制御部がＲＦＩＤに記憶された情報を読み取る制御動作中に表示部に行われる表示の一例を示す図（その１）。
【図８】本発明の実施形態に係る制御部がＲＦＩＤに記憶された情報を読み取る制御動作中に表示部に行われる表示の一例を示す図（その２）。
【図９】本発明の実施形態に係る制御部がＲＦＩＤに記憶された情報を読み取る制御動作中に表示部に行われる表示の一例を示す図（その３）。
【図１０】本発明の実施形態に係る制御部がＲＦＩＤに記憶された情報を読み取る制御動作中に表示部に行われる表示の一例を示す図（その４）。
【図１１】本発明の実施形態に係る制御部がＲＦＩＤに記憶された情報を読み取る制御動作中に表示部に行われる表示の一例を示す図（その５）。
【図１２】本発明の第２の実施形態に係るＲＦＩＤタグ情報の構成の一例を示す図。
【符号の説明】
【００８４】
１  移動通信端末装置
２  ＲＦＩＤタグ
１１  制御部
１５  表示部
１５ａ  ピクト欄
１５ｂ  処理部表示欄
１５ｃ  処理表示欄
１５ｄ  機能表示欄
１７  ＲＦＩＤタグ通信部
１７ａ  アンテナ
１８  ＲＦＩＤタグ通信間隔記憶部
１８ａ  ＲＦＩＤタグ通信間隔
１８ｂ  ＲＦＩＤタグ情報種別
１８ｃ  読み取り間隔
１９  コンテンツ記憶部
１９ａ  コンテンツ
２１  通信処理部
２１ａ  アンテナ
２２  ＲＦＩＤタグ情報記憶部
２２ａ  ＲＦＩＤタグ情報
２２ｂ  ＲＦＩＤタグ識別子
２２ｃ  ＲＦＩＤタグ情報種別
２２ｄ  コンテンツ識別子
２２ｅ  一連番号
２２ｆ  全枚数
２２ｇ  コンテンツ
２２ｈ  読み取り間隔
【図１】
2007122385.tif 000003
【図２】
2007122385.tif 000004
【図３】
2007122385.tif 000005
【図４】
2007122385.tif 000006
【図５】
2007122385.tif 000007
【図６】
2007122385.tif 000008
【図７】
2007122385.tif 000009
【図８】
2007122385.tif 000010
【図９】
2007122385.tif 000011
【図１０】
2007122385.tif 000012
【図１１】
2007122385.tif 000013
【図１２】
2007122385.tif 000014